(57)【特許請求の範囲】
【請求項１】
上バンパおよび下バンパによって挟まれて略水平方向に延びるフロントパネルを有し、このフロントパネルが略直角に結合されてコーナが形成され、このコーナにてフロントパネル同士がコーナージョイントを介して連結されているショーケースにおいて、
前記フロントパネルが中央に長手方向に延びるくぼみ部を備え、前記フロントパネルと前記コーナージョイントとの間に前記くぼみ部による段差部分が形成され、この段差部分に段差埋め部材を設けたことを特徴とするショーケース。
【発明の詳細な説明】
【０００１】
【発明の属する技術分野】
本発明は、フロントパネル同士がコーナージョイントを介して連結されているショーケースに関する。
【０００２】
【従来の技術】
一般に、上バンパおよび下バンパによって挟まれて略水平方向に延びるフロントパネルを有し、このフロントパネルが略直角に結合されてコーナが形成され、このコーナにてフロントパネル同士がコーナージョイントを介して連結されているショーケースが知られている。この種のものでは、カートなどの衝突による衝撃から、ショーケース内部の冷凍装置等を保護する等の理由から、上バンパおよび下バンパが設けられ、且つフロントパネルの略中央に、衝突を回避するための凹みが形成されている。このため、このフロントパネルの凹みに合わせて、コーナージョイントに凹みを形成することは、凹型の絞り込みを形成することになる。この凹型の絞り込みは、成型しにくく、コストアップにつながるとの理由からコーナを形成する際には、成型しやすく、コストダウンが計れるコーナージョイントを介して行われている。
【０００３】
【発明が解決しようとする課題】
しかしながら、コーナージョイントを用いた従来の構成では、フロントパネルとコーナージョイントとの接合部に段差部分が生じ、この段差部分に、カートなどが衝突してコーナージョイントを傷つけやすいという問題がある。
【０００４】
そこで、本発明の目的は、上述した従来技術が有する課題を解消し、コーナージョイントを傷つけにくいショーケースを提供することにある。
【０００５】
【課題を解決するための手段】
請求項１記載の発明は、上バンパおよび下バンパによって挟まれて略水平方向に延びるフロントパネルを有し、このフロントパネルが略直角に結合されてコーナが形成され、このコーナにてフロントパネル同士がコーナージョイントを介して連結されているショーケースにおいて、前記フロントパネルが中央に長手方向に延びるくぼみ部を備え、前記フロントパネルと前記コーナージョイントとの間に前記くぼみ部による段差部分が形成され、この段差部分に段差埋め部材を設けたことを特徴とする。
【０００６】
請求項１記載の発明では、フロントパネルとコーナージョイントとの間に生じたくぼみ部による段差部分に段差埋め部材を設けたことによって、段差が緩和され、段差を形成していたコーナージョイントの突出部に、カートなどが衝突することがないので、コーナージョイントが傷つきにくくなる。
【０００９】
【発明の実施の形態】
以下、本発明の一実施形態を図面に基づいて説明する。
【００１０】
この実施の形態では、ショーケースの一例である低温ラウンドショーケースに基づいて説明する。
【００１１】
図１において、１は低温ラウンドショーケースを示している。図２は、この低温ラウンドショーケース１のラウンド部のＩ−Ｉの断面図である。図１に示すように、低温ラウンドショーケース１は、開口３を有し、この開口３の奥に陳列空間である庫内５を備えている。この庫内５には、図２に示すように、３段の陳列棚７ａ、７ｂ、７ｃが設けられ、これらの下部にはデッキパン９が設けられている。陳列棚７ａ、７ｂ、７ｃとデッキパン９との上には、商品（図示せず）が陳列される。
【００１２】
陳列棚７ａ、７ｂ、７ｃは、庫内仕切板１１に取り付けられ、陳列棚７ａ、７ｂ、７ｃの裏面には蛍光灯１３ａ、１３ｂ、１３ｃが取り付けられている。デッキパン９は、デッキパン受けであるワイヤーラック１０の上に載置され、このワイヤーラック１０の一端１０ａが庫内仕切板１１に取付自在に取付られ、他端１０ｂが冷気吸込口１５の側壁１５ａに取り付けられている。
【００１３】
庫内仕切板１１の背方には、冷気通路１７が形成されており、この冷気通路１７の下部には冷却器１９が設けられ、上部には冷気吹き出し口２１が連結されている。冷却器１９の下方図中左に冷却器用送風機２３が取り付けられている。この冷却器用送風機２３は、実線矢印Ａに示すように、冷気吸込口１５から温度上昇した庫内冷気を吸い込む。吸い込まれた庫内冷気は、冷却器１９によって再冷却され、冷却器用送風機２３によって、冷気通路１７に送り出され、冷気吹き出し口２１から庫内５に供給されている。冷却器１９は図示しない圧縮機、凝縮器、減圧装置、凝縮器用送風機を含む冷凍装置に接続されている。
【００１４】
冷気吹き出し口２１の内側の近傍には、陳列棚７ａの上に陳列された商品を照らす蛍光灯１３ｄが設けられており、また、冷気吹き出し口２１外側近傍には、庫内５全体を照らす蛍光灯１３ｅが設けられており、この蛍光灯１３ｅの上部には、営業時間外に開口３を塞ぐナイトカバー（図示せず）を収納するオーバキャノピ２５が設けられている。
【００１５】
この低温ラウンドショーケース１には、冷却器用送風機２３の下部に底部断熱箱体５１を備え、この底部断熱箱体５１の背面の立ち上がり部５１ａの上面５１ｂに配置された背面断熱板５３と下部５１ｃに配置された脚部５５とを備え、背面断熱板５３の上部には天面断熱板５７が備えられている。
【００１６】
ところで、この実施の形態では、開口３の下部には、略長手方向に延びるフロントパネル２７が設けられ、このフロントパネル２７は中央に長手方向に延びるくぼみ部２７ａを備えている。このフロントパネル２７の上縁周２７ｂには上バンパ２９を備え、下縁周２７ｃには下バンパ３１を備えている。このフロントパネル２７が略直角に結合されてコーナ３３が形成され、このコーナ３３にて、フロントパネル２７同士がコーナージョイント３５を介して連結されている。
【００１７】
フロントパネル２７は、金属製の薄板を、折り曲げて形成されており、図５に示すように、前述した中央に長手方向に延びるくぼみ部２７ａを備え、上縁周２７ｂと下縁周２７ｃとに突出するように形成されている。
【００１８】
上バンパ２９は、断面が略直角三角形の樹脂製の棒部材によって形成されており、フロントパネル２７の上縁周２７ｂと底部断熱箱体５１の前面の立ち上がり部５１ｃの上面５１ｄとを覆い隠して保護するように設けられている。
【００１９】
下バンパ３１は、塗装された鉄板によって形成されており、フロントパネル２７の下縁周２７ｃと底部断熱箱体５１の前面の立ち上がり部５１ｃの下部５１ｅとを覆い隠して保護するように設けられている。
【００２０】
コーナージョイント３５は、金属製の薄板によって形成されており、図３に示すように、コーナージョイント３５の両端部３５ａが直角に曲げられ、この両端部３５ａがフロントパネル２７の内側に間隔ｔを隔てて平行に配置され、両端部３５ａから外側に延出した部分すなわちコーナジョイント３５の突出部３５ｂの断面が略１／４円状になるように形成されている。
【００２１】
この実施の形態では、フロントパネル２７とコーナージョイント３５との間に形成される段差部分３７に段差埋め部材３９を設けた。
【００２２】
この段差部分３７は、図３に示すように、コーナージョイント３５の突出部３５ｂの端面３５ｃとフロントパネル２７のくぼみ２７ａとの結合部に生じたものであり、一つのコーナ３３には２つの段差部分３７がある。
【００２３】
段差埋め部材３９は、図３に示すように、断面が略直角三角形になるように、金属製の薄板を折り曲げて形成されており、図４に示すように、前述したように突出部３５ｂの端面３５ｃとフロントパネル２７のくぼみ部２７ａとの結合部を埋めるように柱状に形成されている。
【００２４】
図３に示すように、断面が略直角三角形の形状の、直角を成す一辺３９ａが、図４に示すように、略垂直方向に延びて面４０ａを形成し、この面４０ａが、フロントパネル２７のくぼみ２７ａに密着している。この面４０ａには、ビス挿入用の孔４１が２個形成され、この孔に、図３に示すように、フロントパネル２７の内側からビス４３が挿入され、段差埋め部材３９はフロントパネル２７に固定されている。
【００２５】
図３に示すように、断面が略直角三角形の形状の、直角を成す他辺３９ｂが、図４に示すように、略垂直方向に延びて面４０ｂを形成し、この面４０ｂが、コーナージョイント３５の突出部３５ｂの端面３５ｃに当接されている。
【００２６】
図３に示すように、略直角三角形の斜辺３９ｃが、図４に示すように、略垂直方向に延びて斜面４０ｃを形成し、この斜面４０ｃが、段差部分３７の段差角度を緩和している。
【００２７】
また、図４に示すように、段差埋め部材３９の上端３９ｄと下端３９ｅとは、フロントパネル２７の上縁周２７ｂと下縁周２７ｃとに密接している。
【００２８】
この実施の形態では、以下の効果を奏す。
【００２９】
フロントパネル２７とコーナージョイント３５との間に生じたくぼみ部２７ａによる段差部分３７に段差埋め部材３９を設けたことによって、この段差埋め部材３９の斜面４０ｃによって段差角度が緩和されるので、段差部分３７が緩和されることになる。このため、段差を形成していたコーナージョイント３５の突出部３５ｂに、カートなどが衝突することがないので、コーナージョイント３５が傷つきにくくなる。
【００３０】
以上、一実施形態に基づいて本発明を説明したが、本発明はこれに限定されるものではないことは明らかである。
【００３１】
例えば、フロントパネル２７が中央に長手方向に延びるくぼみ部２７ａを備えない場合においても、フロントパネル２７とコーナージョイント３５との間に形成される段差部分３７が生じた場合に、同様に、段差埋め部材３９を設ければよい。
【００３２】
この場合、同様に、以下の効果を奏す。
【００３３】
段差部分３７に段差埋め部材３９を設けたことによって、段差が緩和され、段差を形成していたコーナージョイント３５の突出部３５ｂに、カートなどが衝突することがないので、コーナージョイント３５が傷つきにくくなる。
【００３４】
【発明の効果】
請求項１記載の発明によれば、フロントパネルとコーナージョイントとの間に生じたくぼみ部による段差部分に段差埋め部材を設けたことによって、段差が緩和され、段差を形成していたコーナージョイントの突出部に、カートなどが衝突することがないので、コーナージョイントが傷つきにくくなる。
【図面の簡単な説明】
【図１】本発明による一実施の形態を示すショーケースの斜視図である。
【図２】図１に示すショーケースのＩ−Ｉ断面図である。
【図３】フロントパネルとコーナージョイントと段差埋め部材との平面図である。
【図４】フロントパネルとコーナージョイントと段差埋め部材との斜視図である。
【図５】フロントパネルと上バンパと下バンパとの断面図である。
【符号の説明】
１  ショーケース（低温ラウンドショーケース）
２７  フロントパネル
２９  上バンパ
３１  下バンパ
３３  コーナ
３５  コーナージョイント
３７  段差部分
３９  段差埋め部材
【図１】
0003802268.tif 000002
【図２】
0003802268.tif 000003
【図３】
0003802268.tif 000004
【図４】
0003802268.tif 000005
【図５】
0003802268.tif 000006